(57)【要約】【課題】多数枚の写真を収納して交換及び保管に利用するフォトフレーム構造を提供する。【解決手段】本考案のフォトフレーム構造は、フレーム体１、外挟持層２及び内挟持層３から構成され、フレーム体１正面には窓１２が設置され、また複数の側辺条１０により囲まれ、各側辺条１０内側には溝槽１００が成形され、その溝槽１００内に窓１２に設置するガラス片を入れ、また、外挟持層２はフレーム体１と相互に重なり、フレーム体１一側辺箇所で枢設され、別一側辺箇所には掛合ピン５１が設置され、且つ外挟持層２一側面には内挟持層３を入れる納置空間２０が凹設され、内挟持層３の外挟持層２に相対する一側面上には写真差込槽３０が設置され、この写真差込槽３０に多数枚の交換用写真４’を入れることを特徴とする。【選択図】図１
0003125455.tif 000002
【実用新案登録請求の範囲】
【請求項１】
フレーム体、外挟持層、内挟持層から構成されたフォトフレーム構造において、
正面に窓を設置し、複数の側辺条で囲み、同じ側辺内側に溝槽を成形し、その溝槽内に設置するガラス片を入れるフレーム体と、
フレーム体と相互に重なり、フレーム体の一側辺に枢設し、別一側辺箇所に掛合部品を設置し、且つ一側面上に納置空間を凹設する外挟持層と、
外挟持層の納置空間内に入れ、且つ外挟持層に相対する一側面上に写真差込槽を設置する内挟持層から構成されることを特徴とするフォトフレーム構造。
【請求項２】
前記フレーム体は、上方に開口を成形し、その開口から写真を入れることを特徴とする請求項１記載のフォトフレーム構造。
【請求項３】
前記フレーム体は、開口辺縁に沿った箇所に嵌合槽を設置し、その嵌合槽上に嵌合片を入れることを特徴とする請求項２記載のフォトフレーム構造。
【請求項４】
前記ガラス片は、四隅の箇所に押圧塊を設置することを特徴とする請求項１記載のフォトフレーム構造。
【請求項５】
前記外挟持層は、納置空間の箇所に係止孔を貫設し、内挟持層に相対する箇所に相互に合わせる係止凸を設置することを特徴とする請求項１記載のフォトフレーム構造。
【請求項６】
前記外挟持層は、納置空間に係止孔が設置され、その係止孔内に磁性部品を設置し、また内挟持層の係止孔に相対する箇所に別の磁性部品を設置して対応することを特徴とする請求項１記載のフォトフレーム構造。
【請求項７】
前記外挟持層は、掛合部品に掛合台及び掛合ピンを含み、フレーム体と外挟持層が相互に重なり合う同一側辺箇所に設置することを特徴とする請求項１記載のフォトフレーム構造。
【請求項８】
前記内挟持層は、外挟持層上に枢設することを特徴とする請求項１記載のフォトフレーム構造。
【請求項９】
前記内挟持層は、フレーム体の一側面上に相対する箇所に弾性押圧部品を設置することを特徴とする請求項１記載のフォトフレーム構造。
【請求項１０】
前記弾性押圧部品は、スポンジ、空気シートもしくはバネ部品とすることを特徴とする請求項９記載のフォトフレーム構造。
【請求項１１】
前記内挟持層は、一側面外側に開閉欠切口を成形することを特徴とする請求項１記載のフォトフレーム構造。
【考案の詳細な説明】
【技術分野】
【０００１】
本考案は、フォトフレーム構造に関するもので、多数枚の写真を収納して交換及び保管に利用するものである。
【背景技術】
【０００２】
フォトフレームは、フレームで写真を挟み、机などに立てて飾る。
【考案の開示】
【考案が解決しようとする課題】
【０００３】
解決しようとする問題点は、従来のフォトフレームは一枚の写真を飾れるだけで、他の写真と交換したい時、その他の写真はアルバム等に収納してあるため、探さなければならないが、そのアルバムが見つからないか、もしくは目当ての写真を何処に置いたか忘れてしまい、写真を交換するのに不便であり、更にフォトフレームには多数枚の写真は入らない点である。
【特許文献１】実用新案登録第３１１８１０７号公報
【課題を解決するための手段】
【０００４】
上記課題を解決するために、本考案は、以下の特徴を有するフォトフレーム構造を提供する。
１．請求項１に記載のフォトフレーム構造は、フレーム体、外挟持層、内挟持層から構成されたフォトフレーム構造において、正面に窓を設置し、複数の側辺条で囲み、同じ側辺内側に溝槽を成形し、その溝槽内に設置するガラス片を入れるフレーム体と、フレーム体と相互に重なり、フレーム体の一側辺に枢設し、別一側辺箇所に掛合部品を設置し、且つ一側面上に納置空間を凹設する外挟持層と、外挟持層の納置空間内に入れ、且つ外挟持層に相対する一側面上に写真差込槽を設置する内挟持層から構成されることを特徴とする。
２．請求項２に記載のフォトフレーム構造は、請求項１の場合において、前記フレーム体は、上方に開口を成形し、その開口から写真を入れることを特徴とする。
３．請求項３に記載のフォトフレーム構造は、請求項２の場合において、前記フレーム体は、開口辺縁に沿った箇所に嵌合槽を設置し、その嵌合槽上に嵌合片を入れることを特徴とする。
４．請求項４に記載のフォトフレーム構造は、請求項１の場合において、前記ガラス片は、四隅の箇所に押圧塊を設置することを特徴とする。
５．請求項５に記載のフォトフレーム構造は、請求項１の場合において、前記外挟持層は、納置空間の箇所に係止孔を貫設し、内挟持層に相対する箇所に相互に合わせる係止凸を設置することを特徴とする。
６．請求項６に記載のフォトフレーム構造は、請求項１の場合において、前記外挟持層は、納置空間に係止孔が設置され、その係止孔内に磁性部品を設置し、また内挟持層の係止孔に相対する箇所に別の磁性部品を設置して対応することを特徴とする。
７．請求項７に記載のフォトフレーム構造は、請求項１の場合において、前記外挟持層は、掛合部品に掛合台及び掛合ピンを含み、フレーム体と外挟持層が相互に重なり合う同一側辺箇所に設置することを特徴とする。
８．請求項８に記載のフォトフレーム構造は、請求項１の場合において、前記内挟持層は、外挟持層上に枢設することを特徴とする。
９．請求項９に記載のフォトフレーム構造は、請求項１の場合において、前記内挟持層は、フレーム体の一側面上に相対する箇所に弾性押圧部品を設置することを特徴とする。
１０．請求項１０に記載のフォトフレーム構造は、請求項９の場合において、前記弾性押圧部品は、スポンジ、空気シートもしくはバネ部品とすることを特徴とする。
１１．請求項１１に記載のフォトフレーム構造は、請求項１の場合において、前記内挟持層は、一側面外側に開閉欠切口を成形することを特徴とする。
【考案の効果】
【０００５】
本考案のフォトフレーム構造は、フォトフレームに多数枚の写真を収納する機能を具え、使用者が写真を交換したい時、すぐに取り出せて便利であり、写真を度々交換できるので、交換する回数も増え、単調にならないという利点がある。
【考案を実施するための最良の形態】
【０００６】
図１及び図２は、本考案の立体分解図及び立体組立図である。本考案は、フレーム体１、外挟持層２、内挟持層３を含む。
【０００７】
そのうち、フレーム体１は、三つの側辺条１０から構成され、各側辺条１０内側溝槽１００が形成される。またフレーム体１上方には開口１１が成形され、その開口１１の溝槽１００内に写真４を入れる。更にフレーム体１上方の開口１１辺縁に沿った箇所には嵌合槽１１０が成形され、嵌合片１１１を嵌合槽１１０内に入れ、フレーム体１上方の開口１１を塞ぎ、写真４が滑り出るのを防止する。別にフレーム体１正面には窓１２が設置され、その窓１２から写真４の映像を見る（図３参照）。更に溝槽１００内に写真４と重ねて置くガラス片１３を入れる。このガラス片１３の四隅には押圧塊１４が設置され（図２参照）、ガラス片１３を窓１２にしっかりと押さえ、写真４を保護する。
【０００８】
外挟持層２は、フレーム体１と外形が同じで、フレーム体１一側辺箇所に枢設し、開示方式でフレーム体１と相互に重なったり、開いたりする。別の一側辺箇所には掛合部品５（図３参照）が設置される。この掛合部品５は掛合台５０及び掛合ピン５１を含み、フレーム体１と外挟持層２が相互に重なった時、同一側辺箇所に各々設置され、フレーム体１と外挟持層２をしっかりと相互に掛合する。
【０００９】
本考案では主に外挟持層２一側面（本考案の挙げた実施例では内表面を例とする）上に納置空間２０が凹設され、その納置空間２０内に内挟持層３が入る。内挟持層３は外挟持層２の納置空間２０内に直接設置し、外挟持層２上で枢設し、開示方式で外に開いたり、外挟持層２の納置空間２０内に内蔵されたりする（図４参照）。この内挟持層３には写真差込槽３０を具え、その写真差込槽３０は内挟持層２の一側面に相対し、多数枚の入れ替え用写真４´を入れ、同時に内、外挟持層３、２を相互に重ねた後、写真差込槽３０が外挟持層２の納置空間２０内に入れた写真を保護する。
【００１０】
この他、フレーム体１と外挟持層２を相互に重ねた時、内挟持層３のフレーム体１に相対する一側面上には弾性押圧部品３１が設置される（図２参照）。この弾性押圧部品３１はスポンジ（図参照）、空気シート（図５参照）もしくはバネ部品（図６参照）とし、写真４の背面を押さえ、写真４をガラス片１３上にきっちり押さえ付ける。
【００１１】
更に図４に示すとおり、内挟持層３一側辺外側には開閉欠切口３２を成形し、納置空間２０内に入れ後、この開閉欠切口３２により弾き出すのに便利である。別に外挟持層２の納置空間２０箇所には掛合孔２００が設置され、また内挟持層３には係止孔２００に相対した箇所に係止凸３３が設置され、内、外挟持層３，２が相互に合わさった時に係止効果を得る。図７に示すとおり、更に係止孔２００内に磁性部品２０１を設置し、内挟持層３にも係止孔２００に相対した箇所に別の磁性部品２０２が対応し、磁性の力により内、外挟持層３，２を結合する。
【図面の簡単な説明】
【００１２】
【図１】本考案の立体分解図である。
【図２】本考案の立体組立図である。
【図３】本考案の使用状態立体図である。
【図４】本考案の内、外挟持層の開示指示図である。
【図５】本考案の弾性押圧部品別実施例指示図である。
【図６】本考案の弾性押圧部品の更に別の実施例指示図である。
【図７】本考案の内、外挟持層の別の実施例指示図である。
【符号の説明】
【００１３】
１  フレーム体
１０  側辺条
１００  溝槽
１１  開口
１１０  嵌合槽
１１１  嵌合片
１２  窓
１３  押圧塊
２  外挟持層
２０  納置空間
２００  係止孔
２０１  磁性部品
２０２  磁性部品
３  内挟持層
３０  写真差込槽
３１  弾性押圧部品
３２  開閉欠切口
３３  係止凸
４  写真
４´  写真
５  掛合部品
５０  掛合台
５１  掛合ピン
【図１】
0003125455.tif 000003
【図２】
0003125455.tif 000004
【図３】
0003125455.tif 000005
【図４】
0003125455.tif 000006
【図５】
0003125455.tif 000007
【図６】
0003125455.tif 000008
【図７】
0003125455.tif 000009